(57)【要約】【課題】本発明の目的は、効率のよい金属キャスクの冷却性能を確保するため、不必要な圧力損失を低減させ、上記問題を解決することにある。【解決手段】放射性廃棄物をキャスクに貯蔵し、給気口からキャスクを経由して排気口に至る自然通風による冷却方式を採用している放射性廃棄物の貯蔵設備において、降雨を検知して降雨時に前記給気口に防雨フードを取り付け、降雨時以外には防雨フードを取り外すことを特徴とする放射性廃棄物の貯蔵設備。【選択図】図２
2011185904.tif 000002
【特許請求の範囲】
【請求項１】
放射性廃棄物をキャスクに貯蔵し、給気口から前記キャスクを経由して排気口に至る自然通風による冷却方式を採用している放射性廃棄物の貯蔵設備において、降雨を検知して降雨時に前記給気口に防雨フードを取り付け、降雨時以外には防雨フードを取り外すことを特徴とする放射性廃棄物の貯蔵設備。
【請求項２】
第１項記載の放射性廃棄物の貯蔵設備において、
貯蔵設備内の温度を監視し、所定温度以上となるときは、降雨時であっても防雨フードを取り外すことを特徴とする放射性廃棄物の貯蔵設備。
【請求項３】
第２項記載の放射性廃棄物の貯蔵設備において、
貯蔵設備内の温度は、前記キャスクの温度、またはキャスクを設置している室内温度とされることを特徴とする放射性廃棄物の貯蔵設備。
【請求項４】
第１項ないし第３項記載のいずれかの放射性廃棄物の貯蔵設備において、
防雨フードは、シャッター形式とされることを特徴とする放射性廃棄物の貯蔵設備。
【発明の詳細な説明】
【技術分野】
【０００１】
本発明は、原子力発電所で生じた使用済み燃料などの放射性廃棄物を貯蔵しておく貯蔵設備に関し、特に自然通風による冷却方式を採用している貯蔵施設における給気口部の雨水対策を施した放射性廃棄物の貯蔵設備に関する。
【背景技術】
【０００２】
原子力発電所で生じた使用済み燃料などの放射性廃棄物を貯蔵しておく貯蔵設備においては、放射性廃棄物を貯蔵する金属キャスクから発生する熱量の除去のために、自然通風による冷却方式を採用している。自然通風による冷却方式を採用する主な理由は、半減期の長い放射性廃棄物の冷却に要する電力設備への投資と維持経費の低減、さらには電力設備のメンテナンス対策が不用にできるといったものである。
【０００３】
係る設備の一例として、特許文献１がある。
【先行技術文献】
【特許文献】
【０００４】
【特許文献１】特開２０００−１８０５８６号
【発明の概要】
【発明が解決しようとする課題】
【０００５】
特許文献１の使用済み燃料の乾式貯蔵施設においては、自然通風により給気口から流入した空気は空気流入路を経由してキャスク保管室に至り、金属キャスクの冷却を行なった後に、建屋上部の排気塔から排出される。
【０００６】
また、給気口には外側面を覆い、下部が開口したカバー部材が取り付けられている。このカバー部材は、雨水が浸入するのを阻止するフードの役割を果たしているが、この結果として、空気流入経路の圧力損失が大きくなる。
【０００７】
雨水が浸入するのを阻止するフードを、躯体として実現した場合の圧力損失は、無視できない大きさのものであり、試算によれば一割強の圧力損失を発生してしまう。この圧力損失を補填しながら、キャスクの除熱性能を確保・満足させるためには、建屋の平面形状を大きくすることや、建屋の高さを上げるなどの対応策が生じる。つまり、一割強の圧力損失を補填するためには、給気口の開口面積などをその分広げる必要があり、このことは拡げた分だけ建屋の高さを高くする構造を採用する必要があることになる。
【０００８】
また、圧力損失が大きくなると、給気口の開口面積を大きくする必要があるが、これは、放射線遮蔽設計におけるストリーミングを増大させることになり、敷地境界線量が増加するという問題が生じる。
【０００９】
以上のことから本発明の目的は、効率のよい金属キャスクの冷却性能を確保するため、不必要な圧力損失を低減させ、上記問題を解決することにある。
【課題を解決するための手段】
【００１０】
放射性廃棄物をキャスクに貯蔵し、給気口から前記キャスクを経由して排気口に至る自然通風による冷却方式を採用している放射性廃棄物の貯蔵設備において、降雨を検知して降雨時に給気口に防雨フードを取り付け、降雨時以外には防雨フードを取り外す。
【００１１】
また、貯蔵設備内の温度を監視し、所定温度以上となるときは、降雨時であっても防雨フードを取り外すのがよい。
【００１２】
また、貯蔵設備内の温度は、キャスクの温度、またはキャスクを設置している室内温度とされるのがよい。
【００１３】
また、防雨フードは、シャッター形式とされるのがよい。
【発明の効果】
【００１４】
本発明によれば、常設の防雨フードを設置する場合よりも、貯蔵キャスクの冷却性能要求を満足した上で流路幅を狭めることができる。これにより、建屋平面寸法、及び建屋高さを低減することができ、経済性、耐震性、遮蔽性能を高めることが可能となる。
【図面の簡単な説明】
【００１５】
【図１】放射性廃棄物の貯蔵施設の断面図。
【図２】本発明の実施の形態に係る貯蔵施設の給気口部の断面図。
【図３】図２の方向Ａから見たときの給気口部の断面図。
【図４】シャッター形式の防雨フード７を開閉する為の制御論理を記載したフロー図。
【発明を実施するための形態】
【００１６】
以下、本発明の実施例について図を用いて説明する。
【実施例】
【００１７】
図１に自然通風による冷却方式を採用する放射性廃棄物中間貯蔵設備の断面図を示す。ここでは、金属製の貯蔵キャスク３の発熱を利用し、給気口１から排気口２へ空気が流れる。空気の流れによりキャスクの冷却を行なう。この図で明らかなように、給気口１には雨水が浸入するのを阻止する躯体としてのフードは取り付けていない。
【００１８】
図２に給気口部分を拡大して示す本発明の一実施例を示す。本発明においては、雨水が浸入するのを阻止する躯体としてのフードではなく、降雨時にフードとして働くシャッター形式の防雨フード７を設置している。
【００１９】
この図で、４は、防雨フード７を収納しておく格納部であり、巻き取り装置６により、晴天時には格納部４の中に収納されており、給気口１から外部には露出していない。５は自動降雨感知装置であり、降雨時には、自動降雨感知装置５からの信号により、巻き取り装置６が駆動して、シャッター形式の防雨フード７が、ガイドレール８沿いに格納部４から引き出されて、降雨時の設置位置へ移動する。設置された防雨フードは雨がやむまで設置される。
【００２０】
図３は、給気口１を図２の方向Ａから見た図であり、晴天時には給気口１の上部の格納部４の中に防雨フード７収納されている。ガイドレール８は、給気口１の両側に固定され、シャッター形式の防雨フード７がガイドレール８に両端を支持されて上下動する。なお、図２の実施例では、シャッター形式の防雨フード７が給気口１の前面を覆うものとなっているが、これは同時に側面を覆うようにすることも可能である。
【００２１】
ここでガイドレール８は、雨天時に防雨フード７を所定の位置まで導いて、かつ風雨に抗して所定位置に固定して防雨フードとして機能せしめるために必要不可欠である。これは、予め給気口１の近傍に設置しておく必要があるが、基本的には給気口両端にフレーム部分を設けるのみでよいので、これを設置することで晴天時の自然通風を阻害することはない。
【００２２】
図４は、シャッター形式の防雨フード７を開閉する為の制御論理を記載したフロー図である。本発明では基本的に、防雨フード７はステップＳ１００において、自動降雨感知装置５が降雨を検知した場合に、ステップＳ１０１においてフード７を取り付け、自動降雨感知装置５が降雨終了（晴れ又は曇り）を検知した場合に、ステップＳ１０３においてフード７を取り外す。
【００２３】
更に本発明においては、ステップＳ１０２において、夏期などに万が一貯蔵キャスクの冷却性能として設定された上限値を超えた場合は、これを金属キャスク３の温度で検知し、あるいは屋内の温度センサーが感知して、防雨フード７を強制格納する。つまり、ステップＳ１０２の判断を、ステップＳ１００の判断よりも優先的に処理し、降雨時であっても屋内温度が高いときには防雨フード７を取り外してしまうように作動せしめる。本発明では、係るフェイルセイフ機能を持つ。
【００２４】
なお、ステップＳ１０２の判断により防雨フード７を強制格納してしまった場合に、雨が給気口１から進入することにはなるが、これに対しては排水装置を予め設置する、あるいは係る事象が稀であるという前提で排水装置を設置せず多少の雨水の浸入を許す、といった判断が必要となる。ここで後者の判断の場合に、係る事象が稀であるという前提に立つが、これは、降雨時は外気温がさがること、雨による建屋の冷却効果が見込めることから、貯蔵キャスクの冷却性能を満足する可能性が高いという事情による。
【００２５】
いずれにせよ、ステップＳ１０２の判断により防雨フード７を強制格納する機能は、放射性廃棄物の貯蔵設備としての性格上、フェイルセイフ機能として備えることが不可欠である。
【００２６】
本発明を適用し、前述図２の形態を利用することで、圧力損失を低減することが可能となり、貯蔵キャスクの冷却性能を満足した上で流路幅を狭めることができる。これにより、建屋平面寸法、及び建屋高さを低減することができ、経済性、耐震性、遮蔽性能を高めることが可能となる。
【産業上の利用可能性】
【００２７】
本発明は、使用済み燃料の乾式貯蔵施設に適用して効果大であり、簡便な装置で実現可能であるので広く採用しうる。
【符号の説明】
【００２８】
１：給気口
２：排気口
３：貯蔵キャスク
４：格納部
５：自動降雨感知装置
６：巻き取り装置
７：防雨フード
８：ガイドレール
【図１】
2011185904.tif 000003
【図２】
2011185904.tif 000004
【図３】
2011185904.tif 000005
【図４】
2011185904.tif 000006